(57)【要約】【課題】コインランドリー利用者のクレーム対応を迅速且つ適切に行い、店舗のセキュリティを確実にし、コインランドリー管理業のアウトソーシングを実現できるコインランドリー管理システムを提供する。【解決手段】コインランドリー集中制御部とネットワークカメラを店舗内に備え、コインランドリー集中制御部及びネットワークカメラと通信手段によって接続された中央制御装置を管理者側に備え、通信手段を介してコインランドリー機器を遠隔管理するコインランドリー管理システムにおいて、コインランドリー集中制御部と中央制御装置とは、ＡＤＳＬ回線を介して公衆回線網で接続され、また、ネットワークカメラと前記中央制御装置とは、ＡＤＳＬ回線を介してインターネットで接続され、管理者側が、中央制御装置に表示された店舗内の略リアルタイムの動画像と、コインランドリー機器の状態とに基づいて、コインランドリー機器の遠隔管理を行う。【選択図】        図１
2006352179.tif 000002
【特許請求の範囲】
【請求項１】
コインランドリー機器と、複数のセンサから読込まれた前記コインランドリー機器のデータに基づいて前記コインランドリー機器の運転を制御すると共にそのデータを記憶する制御装置と、該制御装置から前記データを送信させるデータコントローラとを備えたコインランドリー集中制御部と、
ズーム機能、パン機能、チルト機能を有し、撮影したコインランドリー店舗内の映像を動画像データに変換して送信可能なネットワークカメラと
を前記店舗内に備え、
また、モニタを有し、前記コインランドリー集中制御部及び前記ネットワークカメラと通信手段によって接続された中央制御装置を管理者側に備え、
前記コインランドリー集中制御部及び前記ネットワークカメラから前記通信手段を介して前記中央制御装置へ送信された前記コインランドリー機器のデータ及び前記店舗内の動画像に基づいて、前記コインランドリー機器を遠隔管理するコインランドリー管理システムであって、
前記コインランドリー集中制御部と前記中央制御装置とは、ｘＤＳＬ回線を介して公衆回線網で接続され、前記中央制御装置に送信された前記コインランドリー機器のデータの内容に基づいてコインランドリー機器の状態が前記中央制御装置のモニタに表示され、
また、前記ネットワークカメラと前記中央制御装置とは、前記ｘＤＳＬ回線を介してインターネットで接続され、前記中央制御装置によって前記管理者側が前記ネットワークカメラの撮影操作を行い、この撮影された前記店舗内の映像は動画像データに変換されてインターネットに接続された前記管理者側のホームページ用サーバに送信された後、前記ホームページに略リアルタイムな動画像として掲載され、
この動画像は、前記インターネットに接続された前記中央制御装置のモニタに表示され、
前記管理者側が、この前記店舗内の略リアルタイムの動画像と、
前記中央制御装置のモニタに表示されたコインランドリー機器の状態とに基づいて、
前記コインランドリー機器の遠隔管理を行うことを特徴とするコインランドリー管理システム。
【請求項２】
請求項１記載のコインランドリー管理システムにおいて、ネットワークカメラで撮影された映像を静止画像としてホームページ上に掲載可能にし、この静止画像と前記動画像をホームページ上で選択的に閲覧できるようにしたことを特徴とするコインランドリー管理システム。
【請求項３】
請求項１又は請求項２記載のコインランドリー管理システムにおいて、ネットワークカメラで撮影された映像が、録画手段によって録画され、この録画の再生画像が前記ホームページ上に掲載されることを特徴とするコインランドリー管理システム。
【発明の詳細な説明】
【０００１】
【発明の属する技術分野】
本発明は、コインランドリー管理システムに関するものである。
【０００２】
【従来の技術】
従来の技術では、例えば、コインランドリー店舗側に、コインランドリー機器の駆動制御を実行する制御装置と、この制御装置のデータを送信するデータコントローラを備え、一方、管理者側には、前記データコントローラと通信手段を介して接続された中央制御装置を備え、前記データコントローラから前記中央制御装置に送信されたデータに基づいて、前記コインランドリー機器を遠隔操作するコインランドリー機器の遠隔管理システム技術があった（例えば、特許文献１。）。
【０００３】
しかし、このような技術では、管理者側からは、店舗内の状況が全く視認できず、データコントローラから送信されてくるコインランドリー機器のデータに基づいて中央装置のモニタに表示されたトラブルの内容だけでは、正確なトラブルの状況が把握できず、トラブルに遭遇したコインランドリーの利用者に電話連絡しながらトラブルの内容を確認しなければならない。さらに、利用者がコインランドリー機器自体の知識に乏しい場合は、電話連絡だけでは利用者から管理者側に正確なトラブル情報が伝わりにくく、また、管理者側のトラブル処置のアドバイスを利用者が正確に把握できにくい。そこで、トラブル処置のために、管理者側から係員をトラブルが発生した店舗に派遣しなければならない。このため、迅速且つ適切なクレーム対応ができないという問題があった。（例えば、特許文献１。）。
【０００４】
この問題を解決するために、例えば、コインランドリー機器の駆動制御を実行する店舗側コントローラと、トラブル発生時に管理者との間で連絡を取るための店舗側電話機と、店舗内の状況を監視する監視カメラとをコインランドリー店舗側に備え、一方、管理者側には、店舗側電話機と公衆回線で接続される管理者側電話機と、店舗側コントローラと公衆回線で接続される管理者側コントローラと、モニタとが備えられ、店舗内でのトラブル発生時には、コインランドリー利用者が店舗内の電話機を使って遠隔地にいる管理者にトラブル発生を知らせると、管理者は監視カメラをＯＮさせて店舗内の映像を管理者側のモニタに表示させ、店舗内に設置された電話機によってトラブルの解決手段を店舗内に入る利用者にアドバイスしたり、また、管理者が監視カメラで撮影された店舗内の映像をモニタに表示させ、店舗内での不正行為を監視したりする技術があった（例えば、特許文献２。）。
【０００５】
【特許文献１】
特許第２９６２９９３号公報
【特許文献２】
特許第３２８７５５５号公報
【０００６】
【発明が解決しようとする課題】
上記の特許文献２に開示されている従来の技術では、監視カメラは公衆回線で管理者側コントローラと接続されているが、この時点での技術水準では公衆回線は転送速度が最大でも数十Ｋｂｐｓ程度のアナログ回線あるいはＩＳＤＮと考えられ、この技術では動画像を略リアルタイムで送受信することは困難であり、このため複数の遠隔地で略リアルタイムに店舗の映像を見ることが実現できなかった。また、監視カメラも固定式のものでズーム機能も無く、不正行為と断定できる程度に拡大して撮影することができず、店舗内の利用者の様子やコインランドリー機器の正確な状況を把握することが困難であった。このため、前記した特許文献１の技術の問題と同様に、トラブルの正確な状況を把握し、その処置を確実に行うためには、利用者との電話連絡による対応や、係員の派遣を行わなければならず、迅速且つ適切なクレーム対応ができないという問題があった。また、店舗側コントローラから送信されてくるコインランドリー機器のデータにはタイムラグが発生するために、コインランドリー機器のトラブル発生時のリアルタイムの正確な情報は、利用者に問い合わせるか、係員を店舗に派遣しなければならず、迅速且つ適切なクレーム対応ができないという問題があった。尚、「クレーム対応」とは管理者側とコインランドリー利用者との連絡があるなしに拘らず、コインランドリー機器にトラブルが発生したときに管理者側が対応するトラブル処置と定義する。
【０００７】
また、上記したように従来の監視カメラでは通常は店舗内の一部しか撮影できず、撮影できない部分での不正行為の発見ができないという問題があった。あるいは広角レンズを用いて店舗全体を撮影できるように設定変更した場合には、コインランドリー機器や利用者など個々の動画像が小さくなり状況が把握できないという問題があった。
【０００８】
このように、従来の技術は、コインランドリー利用者のクレーム対応を迅速且つ適切に行うことができず、また、コインランドリー店舗のセキュリティが不確実なために、店舗のオーナー（事業主）が集金業務や清掃業務などを他人（他業者）に委託することはリスクが大きく、コインランドリー管理業のアウトソーシングが実現できなかった。
【０００９】
本発明は、以上のような従来技術の問題点に鑑みてなされたものであり、コインランドリー利用者のクレーム対応を迅速且つ適切に行い、店舗のセキュリティを確実にし、コインランドリー管理業のアウトソーシングを実現できるコインランドリー管理システムを提供するものである。
【００１０】
【課題を解決するための手段】
このため本発明は、コインランドリー機器と、複数のセンサから読込まれた前記コインランドリー機器のデータに基づいて前記コインランドリー機器の運転を制御すると共にそのデータを記憶する制御装置と、該制御装置から前記データを送信させるデータコントローラとを備えたコインランドリー集中制御部と、
ズーム機能、パン機能、チルト機能を有し、撮影したコインランドリー店舗内の映像を動画像データに変換して送信可能なネットワークカメラと
を前記店舗内に備え、
また、モニタを有し、前記コインランドリー集中制御部及び前記ネットワークカメラと通信手段によって接続された中央制御装置を管理者側に備え、
前記コインランドリー集中制御部及び前記ネットワークカメラから前記通信手段を介して前記中央制御装置へ送信された前記コインランドリー機器のデータ及び前記店舗内の動画像に基づいて、前記コインランドリー機器を遠隔管理するコインランドリー管理システムであって、
前記コインランドリー集中制御部と前記中央制御装置とは、ｘＤＳＬ回線を介して公衆回線網で接続され、前記中央制御装置に送信された前記コインランドリー機器のデータの内容に基づいてコインランドリー機器の状態が前記中央制御装置のモニタに表示され、
また、前記ネットワークカメラと前記中央制御装置とは、前記ｘＤＳＬ回線を介してインターネットで接続され、前記中央制御装置によって前記管理者側が前記ネットワークカメラの撮影操作を行い、この撮影された前記店舗内の映像は動画像データに変換されてインターネットに接続された前記管理者側のホームページ用サーバに送信された後、前記ホームページに略リアルタイムな動画像として掲載され、
この動画像は、前記インターネットに接続された前記中央制御装置のモニタに表示され、
前記管理者側が、この前記店舗内の略リアルタイムの動画像と、
前記中央制御装置のモニタに表示されたコインランドリー機器の状態とに基づいて、
前記コインランドリー機器の遠隔管理を行うことを第１の特徴とする。ここで、ｘＤＳＬ（エックスディーエスエルと呼ぶ）とは、銅線によるツイストペア線で構成された既存の電話回線（アナログ回線）を使って高速なディジタルデータ通信を行うＤＳＬ（Ｄｉｇｉｔａｌ  Ｓｕｂｓｃｒｉｂｅｒ  Ｌｉｎｅ）技術の総称であり、このＤＳＬの技術には、日本国内では最も商用サービスが普及しているＡＤＳＬ（Ａｓｙｍｍｅｔｒｉｃ  Ｄｉｇｉｔａｌ  Ｓｕｂｓｃｒｉｂｅｒ  Ｌｉｎｅ）の他に、ＨＤＳＬ（Ｈｉｇｈ−ｂｉｔ−ｒａｔｅ  Ｄｉｇｉｔａｌ  Ｓｕｂｓｃｒｉｂｅｒ  Ｌｉｎｅ）、ＳＤＳＬ（Ｓｙｍｍｅｔｒｉｃ  Ｄｉｇｉｔａｌ  Ｓｕｂｓｃｒｉｂｅｒ  Ｌｉｎｅ）、ＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）、ＣＤＳＬ（Ｃｏｎｓｕｍｅｒ  Ｄｉｇｉｔａｌ  Ｓｕｂｓｃｒｉｂｅｒ  Ｌｉｎｅ）といった技術がある。
【００１１】
また、請求項１記載のコインランドリー管理システムにおいて、ネットワークカメラで撮影された映像を静止画像としてホームページ上に掲載可能にし、この静止画像と前記動画像をホームページ上で選択的に閲覧できるようにしたことを第２の特徴とする。
【００１２】
さらに、請求項１又は請求項２記載のコインランドリー管理システムにおいて、ネットワークカメラで撮影された映像が、録画手段によって録画され、この録画の再生画像が前記ホームページ上に掲載されることを第３の特徴とする。
【００１３】
【発明の実施の形態】
以下、本発明の実施の形態を図面に示す実施例に基づいて説明する。
【００１４】
図１は、本発明に係るコインランドリー管理システムの一実施例を示すネットワーク構成の説明図である。図２は、本発明に係るコインランドリー管理システムのコインランドリー集中制御部の説明図である。図３は、本発明に係るコインランドリー管理システムにおけるトラブル発生時のトラブル処置（クレーム対応）の手順を示すフローチャートである。図４は、本発明に係るコインランドリー管理システムの他の実施例を示すネットワーク構成図である。
【００１５】
まず、本発明に係るコインランドリー管理システムの一構成例について説明する。本発明に係るコインランドリー管理システムは、店舗に設置されたネットワークカメラと管理者側に設置された中央制御装置との通信ネットワークと、店舗に設置されたコインランドリー集中制御部と管理者側に設置された中央制御装置との通信ネットワークとが、インターネットと公衆回線網の２系統に分かれており、これらをほぼ同時に使用して遠隔管理を行うものである。図１に示すように、本発明に係るコインランドリー管理システム１において、店舗２に設置されたコインランドリー集中制御部３はスプリッタ１４に接続され、スプリッタ１４はＡＤＳＬ回線２４によって店舗側局２２に接続されている。店舗側局２２は管理者側局２３と公衆回線網２８で接続されている。管理者側１５のモデム内蔵の中央制御装置１６と管理者側局２３とは、アナログ回線３０で接続されている。このように、コインランドリー機器４のデータは、公衆回線網２８を介して管理者側１５の中央制御装置１６と通信され、専用線で接続しなくてもよいので、通信経費の負担が軽減される。ここで、公衆回線網、ＡＤＳＬ回線、アナログ回線は、銅線で形成された既存のツイストペア線で構成された回線である。尚、店舗側局とは、店舗側の地域の通信サービスを行っている電話局のことであり、管理者側局とは管理者側の地域の通信サービスを行っている電話局のことである。オーナ宅側局についても同様である。従って、場所によっては、例えば店舗側局と管理者側局が同一の場合もある。複数の店舗と接続する場合も同様である。
【００１６】
図２に示すように、コインランドリー集中制御部３の主要な構成は、１台のデータコントローラ５と、複数の制御装置６と、この制御装置６が接続された複数のコインランドリー機器４とからなっている。モデム機能を有するデータコントローラ５は、中央制御装置１６からデータ送信要求信号を受信すると、該当する制御装置６に格納されているコインランドリー機器４のデータ送信要求を送信し、制御装置６から受信したコインランドリー機器４のデータを中央制御装置に１６送信する。コインランドリー機器４には、機器毎にコインの投下量を検知するコインセンサ９、ランドリー機器の回転数を検知する回転数センサ１０、ランドリー機器内の温度を検知する温度センサ１１等の複数のセンサが取付けられており、これらのセンサによって検知されたコインランドリー機器４のデータは、制御装置６に搭載されたマイクロコンピュータ７に送信され、マイクロコンピュータ７はそのデータを制御装置６に搭載された半導体記憶装置８に格納する。データコントローラ５は、通常は、一定の周期で中央制御装置１６からデータ送信要求信号を受信し、データ送信要求を該当する制御装置６に送信し、この信号を受信した制御装置６は、半導体記憶装置８に格納されているコインランドリー機器４のデータをデータコントローラ５に送信する。データコントローラ５は、制御装置６から受信したデータを中央制御装置１６に送信する。
【００１７】
また、データコントローラ５は、この予め設定された一定の周期とは無関係に、中央制御装置１６からのデータ送信要求信号を受信した場合は、前記した一定の周期によるデータ送信要求信号に優先して、制御装置６にデータ送信要求を送信し、この信号を受信した制御装置６は、半導体記憶装置８に格納されているコインランドリー機器４のデータをデータコントローラ５に送信し、データコントローラ５は、制御装置６から受信したコインランドリー機器４のデータを中央制御装置１６に送信する。
【００１８】
この半導体記憶装置８は、データの読み出しと書き込みが可能なメモリが主体となって構成されており、マイクロコンピュータ８に内蔵されていてもよい。また、半導体記憶装置８は、ハードディスク装置（磁気ディスク装置）で代用されてもよい。また、データコントローラ５と制御装置６は、それぞれの機能を１つのモジュールの中に構成されたものでも代用できる。
【００１９】
制御装置６は、コインランドリー利用者が設定した条件と、これに対応する予め組込まれたコインランドリー機器運転プログラムと、コインランドリー機器に取付けられた複数のセンサ９、１０、１１からの信号とに基づいて、コインランドリー機器４の運転を制御する。センサ９、１０、１１のいずれかからのトラブル信号を受信した場合は、コインランドリー機器４の運転を停止し、トラブル信号を半導体記憶装置８に格納すると共に、中央制御装置１６に対してデータコントローラ５を介してデータ送信要求信号の発呼要求信号を送信する。中央制御装置１６はこの発呼要求信号を受信すると、データコントローラ５を介して制御装置６にデータ送信要求信号を送信する。制御装置６は、データ送信要求を受信するとトラブル信号に基づいたデータを中央制御装置１６に送信する。このデータは、エラーの内容に対応して設定されたエラーコードに変換されている。中央制御装置１６のモニタには、受信したトラブル信号のデータの内容（エラーコード）に対応したトラブルの内容が表示される。管理者側１５は、その表示された内容を把握して対応すべき手段を判断し、例えばコインランドリー機器４のリセット信号などのトラブル処置制御信号を中央制御装置１６からデータコントローラ５を介して制御装置６に送信する。
尚、後述するように、ネットワークカメラ１２で撮影されたコインランドリー機器４の略リアルタイムの映像をほぼ同時にモニタすることにより、トラブルに対して迅速且つ適切な処置が行える。また、店舗２に管理者側の係員を派遣する必要が無く、店舗の無人化が図られ、経費削減が行える。尚、コインランドリー集中制御部３の構成は、既存の技術であるため、主要な部分のみ記述した。
【００２０】
一方、図１に示すように、ネットワークカメラ１２と中央制御装置１６との通信ネットワークは、店舗２側に設置されたネットワークカメラ１２と、管理者側１５に設置されたモニタ付き中央制御装置１６と、ＩＳＰ（インターネットサービスプロバイダ）のサーバ２６とから構成され、これらは全てインターネット２７に接続されている。店舗２側のネットワークカメラ１２は、ＡＤＳＬモデム一体型のルータ１３に接続され、このルータ１３は、前記スプリッタ１４に接続されている。スプリッタ１４と店舗側局２２は、前記ＡＤＳＬ回線２４で常時接続されており、スプリッタ１４と店舗側局間２２は１本のＡＤＳＬ回線２４でコインランドリー機器４のデータとネットワークカメラ１２の動画像データを同時に送信することができる。
【００２１】
管理者側１５には、中央制御装置１６とＡＤＳＬモデム一体型のルータ１７が設置され、このルータはＩＳＰ（インターネットサービスプロバイダ）のサーバ２６と同軸ケーブル２５で接続されている。このＩＳＰのサーバ２６と店舗側局２２はインターネット２７で接続されている。また、コインランドリー管理業務をアウトソーシングした際のオーナー宅１９の端末装置２０とインターネット２７とは、オーナー宅に設置されたＡＤＳＬモデム内蔵のスプリッタ２１、常時接続のＡＤＳＬ回線３１、オーナー宅側局３５によって接続されている。店舗２のネットワークカメラ１２で撮影された店舗２内外の映像（動画像）データは、インターネット２７を介して、ＩＳＰ（インターネットサービスプロバイダ）のサーバ２６上で構築されたホームページに略リアルタイムの動画像として常時掲載されると共に、このサーバに備えられているハードディスク装置（磁気ディスク装置）に格納（録画）される。また、動画像データは、ディジタルデータとしてサーバ２６に格納され、必要なデータを選択して静止画像として復元し、一定の時間間隔でホームページに再生表示が可能であり、ホームページ閲覧者は、動画像と静止画像を選択的に閲覧できるようになっている。尚、前記ハードディスク装置はＤＶＤ（Ｄｉｇｉｔａｌ  Ｖｅｒｓａｔｉｌｅ  Ｄｉｓｋ）装置で代用されても良いし、磁気テープ装置を利用しても良い。
【００２２】
このように構成したことにより、図４に示すように、複数の店舗２、２ａ、２ｂ、２ｃ、２ｄの店舗内外の映像（動画像）は、インターネット２７を介して管理者側１５の中央制御装置１６のモニタやオーナー宅１９の端末装置２０で、ホームページに掲載された動画像として略リアルタイムに見ることができる。もちろん、インターネット２７に有線又は無線で接続されたインターネット利用者の固定端末装置３３や、携帯電話や携帯端末（ＰＤＡ）などの携帯用の端末装置２９を利用しても同様の効果が実現できる。
【００２３】
このように、コインランドリー店舗２内外の映像を遠隔地で略リアルタイムで見ることができる技術は、従来の技術水準では実現できなかった技術である。また、店舗２と店舗側局間２２との接続に、専用回線ではなく、既存のツイストペア線を利用したＡＤＳＬ回線２４を使用したことにより、設備の経費の負担を軽減することができる。また、ＡＤＳＬ回線２４、２４ａ、２４ｂ、２４ｃ、２４ｄやインターネット２７を利用して、ホームページ上に複数の店舗の映像を同時に閲覧可能にしたので、管理者側のクレーム対応も迅速になり、コインランドリー利用者にとっても、自宅や外出先からインターネット２７に接続可能な端末装置からコインランドリー機器４の使用状況を確認できるので、非常に便利である。
【００２４】
ネットワークカメラ１２は、ズーム機能、パン機能、チルト機能を有し、これらの機能は管理者側１５に設置された中央制御装置１６で、ネットワークカメラ１２の１台毎に付与されたグローバルＩＰアドレス又はドメイン名を使用して１台毎に制御され、コインランドリー機器４の状態が管理者側１５の中央制御装置１６のモニタで正確に視認することができる。また、コインランドリー機器４以外の店舗２内の様子や、店舗２外の様子も視認できる。このため、コインランドリー利用者のクレーム対応の際に、コインランドリー機器４の状態を正確に把握して適切且つ迅速な処置ができるだけでなく店舗２内の不正監視や店舗２外の駐車場の状況把握も行うことができる。さらに、このネットワークカメラ１２で撮影された映像は、店舗２内でＬＡＮで接続されたモニタ（図示せず）にも映し出され、不正防止の効果が高められている。特に集金作業時や清掃作業時の不正防止に効果が期待できる。このように店舗のセキュリティが確実に行えるので、コインランドリー管理業務のアウトソーシング化が可能となる。尚、グローバルＩＰアドレスとドメイン名を対比するＤＮＳサーバは図示していない。また、本実施例では、ネットワークカメラ１２は、図１、図４に示すように、１店舗に１台設置されているが、１店舗に複数のネットワークカメラを設置することもできる。
【００２５】
次に、本発明に係るコインランドリー管理システム１のトラブル発生時のクレーム対応の一実施例について説明する。図３に示すように、コインランドリー機器４に何らかのトラブルが発生した際（ステップＳ０１）には、前記したように、このトラブルを検知したセンサから制御装置１６にトラブル信号が送信され、該当するコインランドリー機器４の運転が停止（ステップＳ０２）される。このトラブル信号は、制御装置６に搭載された半導体記憶装置８に格納されると共に、データコントローラ５を介して中央制御装置１６にデータ送信要求信号の発呼要求信号を送信する。この発呼要求信号を受信した中央制御装置１６は、データコントローラ５にデータ送信要求信号を送信し、データコントローラ５は、該当する制御装置６にデータ送信を要求する。この制御装置６は、半導体記憶装置８に格納されていたトラブル信号をデータコントローラ５に送信し、データコントローラ５から中央制御装置１６に送信される。このとき、トラブル信号のデータは、前記したように、予めエラーの内容に対応して設定されたエラーコードに変換されている。このトラブル信号（エラーコード）を受けた中央制御装置１６のモニタにそのエラーコードに対応したトラブル内容が表示される（ステップＳ０３）と、管理者は、中央制御装置１６からネットワークカメラ１２を遠隔操作して、該当するコインランドリー機器４をズーアップして撮影し、コインランドリー機器４に表示されたモード表示ランプやコインランドリー機器４中央の覗き窓越しの内部の状況などをモニタに映し出して、実際のコインランドリー機器４の映像を視認してトラブルの真の内容を確認（ステップＳ０４）する。そして、適切な処置を判断し、その処置すべき制御信号（例えばコインランドリー機器のリセット信号など）を中央制御装置１６から送信し、この制御信号を受信したデータコントローラ５から該当するコインランドリー機器４の制御装置６に制御信号が送信されて、コインランドリー機器４のトラブル処置が実行（ステップＳ０５）される。そして、中央制御装置１６のモニタに表示されたコインランドリー機器４の状態と映像を確認（ステップＳ０６）し、異常の有無を判断（ステップＳ０７）する。もし、異常があれば、再度ネットワークカメラ１２でコインランドリー機器４の状態を確認しながらトラブル処置を実行する。この操作（ステップＳ０４〜ステップＳ０７）を繰り返し、異常が無くなれば、トラブル処置が完了（ステップＳ０８）する。実用上は、ネットワークカメラを利用した効果が大きいので、ステップＳ０４〜ステップＳ０７のサイクルを何度も繰返す必要はない。このように、トラブル信号と、略リアルタイムのコインランドリー機器４の状態とを確認しながら対応できるので、係員を店舗に派遣しなくても、適切且つ迅速な処置が行える。尚、上記の実施例では、コインランドリー利用者との連絡手段による応答が無くても実現可能であるが、コインランドリー利用者が、例えば携帯電話を使用して管理者側１５に連絡をしてきても実現できることは言うまでもない。
【００２６】
本発明に係るコインランドリー管理システム１では、ネットワークカメラ１２で撮影した映像のデータ通信に常時接続の回線を使用するため、２４時間稼動が可能である。また前記したように、ネットワークカメラ１２がズーム機能、パン機能、チルト機能を有しているため、店舗２内外を細部あるいは広範囲に亘って撮影できるため、店舗２のセキュリティを確実に行うことができる。このため、コインの集金業務や店舗の清掃業務などをアウトソーシングしてオーナーの負担を大幅に軽減することができる。これにより、広範囲の地域に亘ってインターネット２７を介して本システム１が構築でき、広範囲の地域に亘って使用方法が同一のコインランドリー機器４が設置できる。従って設置や維持のコストも低減され、また、コインランドリー利用者にとっても使い勝手の良いものとなる。
【００２７】
また、本発明のコインランドリー管理システム１によれば、店舗２からの遠隔地でも略リアルタイムで店舗２内外の様子を見ることができるため、例えば、図４に示すように、クレーム対応業務だけを行うコールセンター３２を管理者側１５とは別の場所に設置することも可能である。コールセンター３２にも中央制御装置１６と同機能の制御装置１６ａを設置し、通信手段も同様にＡＤＳＬ回線３１ａとインターネット２７を利用すれば、コールセンター３２で見る複数の店舗２、２ａ、２ｂ、２ｃ、２ｄの映像と管理者側で見る複数の店舗２、２ａ、２ｂ、２ｃ、２ｄの映像は略同期して且つ略リアルタイムになるので、コールセンター３２でのクレーム対応も、前記した管理者側１５の場合と同様に適切且つ迅速にできる。また、これにより、クレーム対応業務だけを分離してアウトソーシングすることも可能となる。
【００２８】
尚、本実施例では、ＡＤＳＬ回線による使用例を説明したが、ＨＤＳＬ回線やＳＤＳＬ回線などの他のＤＳＬ回線を使用しても構わない。もちろん、ＡＤＳＬ回線も含めてそれぞれの回線を使用した場合には、転送速度が動画像を略リアルタイムで転送できる速度に設定できる条件で使用する必要がある。
【００２９】
【発明の効果】
以上説明したように、本発明に係るコインランドリー管理システムによれば、コインランドリー機器のクレーム対応を迅速且つ適切に行い、店舗のセキュリティを確実にし、コインランドリー管理業のアウトソーシングを実現できるという優れた効果を有する。
【図面の簡単な説明】
【図１】図１は、本発明に係るコインランドリー管理システムの一実施例を示すネットワーク構成の説明図である。
【図２】図２は、本発明に係るコインランドリー管理システムのコインランドリー集中制御部の説明図である。
【図３】図３は、本発明に係るコインランドリー管理システムにおけるトラブル発生時のトラブル処置の手順を示すフローチャートである。
【図４】図４は、本発明に係るコインランドリー管理システムの他の実施例を示すネットワーク構成図である。
【符号の説明】
１            コインランドリー管理システム
２            店舗
２ａ、２ｂ    店舗
２ｃ、２ｄ    店舗
３            コインランドリー集中制御部
４            コインランドリー機器
５            データコントローラ
６            制御装置
７            マイクロコンピュータ
８            半導体記憶装置
９            コインセンサ
１０            回転数センサ
１１            温度センサ
１２            ネットワークカメラ
１３、１７      ルータ
１４、２１      スプリッタ
１５            管理者側
１６            中央制御装置
１６ａ          コールセンター制御装置
１９            オーナー宅
２０            オーナー宅の端末装置
２２            店舗側局
２３            管理者側局
２４            ＡＤＳＬ回線
２４ａ、２４ｂ  ＡＤＳＬ回線
２４ｃ、２４ｄ  ＡＤＳＬ回線
３１、３１ａ    ＡＤＳＬ回線
２５            同軸ケーブル
２６            ＩＳＰのサーバ
２７            インターネット
２８            公衆回線網
２９            携帯用の端末装置
３０            アナログ回線
３２            コールセンター
３３            固定端末装置
３４            コールセンター側局
３５            オーナー宅側局
【図１】
2006352179.tif 000003
【図２】
2006352179.tif 000004
【図３】
2006352179.tif 000005
【図４】
2006352179.tif 000006
【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
コインランドリー機器と、複数のセンサから読込まれた前記コインランドリー機器のデータに基づいて前記コインランドリー機器の運転を制御すると共にそのデータを記憶する制御装置と、該制御装置から前記データを送信させるデータコントローラとを備えたコインランドリー集中制御部と、
ズーム機能、パン機能、チルト機能を有し、撮影したコインランドリー店舗内の映像を動画像データに変換して送信可能なネットワークカメラと
を前記店舗内に備え、
また、モニタを有し、前記コインランドリー集中制御部及び前記ネットワークカメラと通信手段によって接続された中央制御装置を管理者側に備え、
前記コインランドリー集中制御部及び前記ネットワークカメラから前記通信手段を介して前記中央制御装置へ送信された前記コインランドリー機器のデータ及び前記店舗内の動画像に基づいて、前記コインランドリー機器を遠隔管理するコインランドリー管理システムであって、
前記コインランドリー集中制御部と前記中央制御装置とは、ｘＤＳＬ回線を介して公衆回線網で接続され、前記中央制御装置に送信された前記コインランドリー機器のデータの内容に基づいてコインランドリー機器の状態が前記中央制御装置のモニタに表示され、
また、前記ネットワークカメラと前記中央制御装置とは、前記ｘＤＳＬ回線を介してインターネットで常時接続され、前記中央制御装置によって前記管理者側が前記ネットワークカメラの撮影操作を行い、この撮影された前記店舗内の映像は動画像データに変換されてインターネットに常時接続された前記管理者側のホームページ用サーバに送信された後、前記ホームページに略リアルタイムな動画像として掲載され、
この動画像は、前記インターネットに常時接続された前記中央制御装置のモニタに表示され、
前記管理者側が、この前記店舗内の略リアルタイムの動画像と、
前記中央制御装置のモニタに表示されたコインランドリー機器の状態とに基づいて、
前記コインランドリー機器の遠隔管理を行うことを特徴とするコインランドリー管理システム。
【手続補正２】
【補正対象書類名】明細書
【補正対象項目名】００１０
【補正方法】変更
【補正の内容】
【００１０】
【課題を解決するための手段】
このため本発明は、コインランドリー機器と、複数のセンサから読込まれた前記コインランドリー機器のデータに基づいて前記コインランドリー機器の運転を制御すると共にそのデータを記憶する制御装置と、該制御装置から前記データを送信させるデータコントローラとを備えたコインランドリー集中制御部と、
ズーム機能、パン機能、チルト機能を有し、撮影したコインランドリー店舗内の映像を動画像データに変換して送信可能なネットワークカメラと
を前記店舗内に備え、
また、モニタを有し、前記コインランドリー集中制御部及び前記ネットワークカメラと通信手段によって接続された中央制御装置を管理者側に備え、
前記コインランドリー集中制御部及び前記ネットワークカメラから前記通信手段を介して前記中央制御装置へ送信された前記コインランドリー機器のデータ及び前記店舗内の動画像に基づいて、前記コインランドリー機器を遠隔管理するコインランドリー管理システムであって、
前記コインランドリー集中制御部と前記中央制御装置とは、ｘＤＳＬ回線を介して公衆回線網で接続され、前記中央制御装置に送信された前記コインランドリー機器のデータの内容に基づいてコインランドリー機器の状態が前記中央制御装置のモニタに表示され、
また、前記ネットワークカメラと前記中央制御装置とは、前記ｘＤＳＬ回線を介してインターネットで常時接続され、前記中央制御装置によって前記管理者側が前記ネットワークカメラの撮影操作を行い、この撮影された前記店舗内の映像は動画像データに変換されてインターネットに常時接続された前記管理者側のホームページ用サーバに送信された後、前記ホームページに略リアルタイムな動画像として掲載され、
この動画像は、前記インターネットに常時接続された前記中央制御装置のモニタに表示され、
前記管理者側が、この前記店舗内の略リアルタイムの動画像と、
前記中央制御装置のモニタに表示されたコインランドリー機器の状態とに基づいて、
前記コインランドリー機器の遠隔管理を行うことを第１の特徴とする。ここで、ｘＤＳＬ（エックスディーエスエルと呼ぶ）とは、銅線によるツイストペア線で構成された既存の電話回線（アナログ回線）を使って高速なディジタルデータ通信を行うＤＳＬ（Ｄｉｇｉｔａｌ  Ｓｕｂｓｃｒｉｂｅｒ  Ｌｉｎｅ）技術の総称であり、このＤＳＬの技術には、日本国内では最も商用サービスが普及しているＡＤＳＬ（Ａｓｙｍｍｅｔｒｉｃ  Ｄｉｇｉｔａｌ  Ｓｕｂｓｃｒｉｂｅｒ  Ｌｉｎｅ）の他に、ＨＤＳＬ（Ｈｉｇｈ−ｂｉｔ−ｒａｔｅ  Ｄｉｇｉｔａｌ  Ｓｕｂｓｃｒｉｂｅｒ  Ｌｉｎｅ）、ＳＤＳＬ（Ｓｙｍｍｅｔｒｉｃ  Ｄｉｇｉｔａｌ  Ｓｕｂｓｃｒｉｂｅｒ  Ｌｉｎｅ）、ＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）、ＣＤＳＬ（Ｃｏｎｓｕｍｅｒ  Ｄｉｇｉｔａｌ  Ｓｕｂｓｃｒｉｂｅｒ  Ｌｉｎｅ）といった技術がある。